(57)【要約】【課題】音声、画像、テキストおよび映像のうちの任意の１つまたは複数を含むコンテンツに位置情報付加するシステムおよび技術を提供する。【解決手段】位置情報付加されたコンテンツを、コンテンツ作成者がコンテンツ作成者装置で作成およびアップロードする方法は、コンテンツ作成者装置の位置情報利用モードを有効にし、この後、地理的位置が関連付けられている、位置情報付加されたコンテンツを生成し、このコンテンツの位置特定データであって、地理的位置の地理的座標を表す位置特定データを決定し、コンテンツ、およびこれに付随する位置特定データを、バックエンドコンピュータにアップロードする。当該コンテンツには、少なくとも１つのコンテンツ消費者装置がコンテンツに関連付けられている地理的位置に位置しているときに、そのコンテンツ消費者装置のみがアクセス可能である。【選択図】図１Ａ
2017505972.tif 000002
【特許請求の範囲】
【請求項１】
位置情報付加されたコンテンツを、コンテンツ作成者のコンテンツ作成者装置で作成およびアップロードする方法であって、
前記コンテンツが、音声、画像、テキストおよび映像のうちの任意の１つまたは複数を含むものであり、
前記コンテンツ作成者装置が、モバイルデバイスであり、
当該方法が、
前記コンテンツ作成者装置の位置情報利用モードを有効にする過程と、
前記位置情報利用モードを有効にする前記過程の後、前記位置情報付加されたコンテンツを生成する過程であって、当該位置情報付加されたコンテンツには、地理的位置が関連付けられている、過程と、
前記位置情報付加されたコンテンツの位置特定データを決定する過程であって、当該位置特定データは、前記地理的位置の地理的座標を表す、過程と、
前記位置情報付加されたコンテンツ、およびこれに付随する前記位置特定データを、バックエンドコンピュータにアップロードする過程であって、当該位置情報付加されたコンテンツには、少なくとも１つのコンテンツ消費者装置が当該位置情報付加されたコンテンツに関連付けられている前記地理的位置に物理的に位置しているときに、その少なくとも１つのコンテンツ消費者装置のみがアクセス可能である、過程と、
を含む、方法。
【請求項２】
請求項１に記載の方法において、さらに、
前記位置情報付加されたコンテンツを生成する過程の前に、当該位置情報付加されたコンテンツと関連付ける少なくとも１つのコンテンツタグを定義する過程と、
前記少なくとも１つのコンテンツタグを、前記位置情報付加されたコンテンツおよびこれに付随する前記位置特定データと共にバックエンドコンピュータにアップロードする過程であって、当該位置情報付加されたコンテンツには、（ｉ）少なくとも１つのコンテンツ消費者装置が、当該位置情報付加されたコンテンツに関連付けられている前記地理的位置に物理的に位置し、かつ、（ｉｉ）前記少なくとも１つのコンテンツタグが、前記少なくとも１つのコンテンツ消費者装置の対応付けられた少なくとも１つのフィルタ設定を満たすときに、その少なくとも１つのコンテンツ消費者装置のみがアクセス可能である、過程と、
を含む、方法。
【請求項３】
請求項２に記載の方法において、前記少なくとも１つのコンテンツタグが、時間タグを含み、当該時間タグは、前記位置情報付加されたコンテンツが利用可能である時と、前記位置情報付加されたコンテンツが利用可能である期間とのいずれか一方または両方を定義する、方法。
【請求項４】
請求項２に記載の方法において、前記少なくとも１つのコンテンツタグが、コンテンツ消費者タグを含み、当該コンテンツ消費者タグは、特定のコンテンツ消費者を定義する、方法。
【請求項５】
請求項２に記載の方法において、前記少なくとも１つのコンテンツタグが、範囲タグを含み、当該範囲タグは、前記地理的位置に対応付けられた近傍を定義し、かつ、前記少なくとも１つのコンテンツタグは、前記少なくとも１つのコンテンツ消費者装置が前記地理的位置に対応付けられた前記近傍に物理的に位置しているときに、その前記少なくとも１つのコンテンツ消費者装置の前記フィルタ設定を満たす、方法。
【請求項６】
請求項２に記載の方法において、前記少なくとも１つのコンテンツタグが、（ｉ）時間タグであって、前記位置情報付加されたコンテンツが利用可能である時と、前記位置情報付加されたコンテンツが利用可能である期間とのいずれか一方または両方を定義する、時間タグ、および（ｉｉ）範囲タグであって、前記地理的位置に対応付けられた近傍を定義し、かつ、前記少なくとも１つのコンテンツタグは、前記少なくとも１つのコンテンツ消費者装置が前記地理的位置に対応付けられた前記近傍に物理的に位置しているときに、その前記少なくとも１つのコンテンツ消費者装置の前記フィルタ設定を満たす、範囲タグを含む、方法。
【請求項７】
位置情報付加されたコンテンツを、コンテンツ消費者のコンテンツ消費者装置で受信およびダウンロードする方法であって、
前記コンテンツが、音声、画像、テキストおよび映像のうちの任意の１つまたは複数を含むものであり、
前記コンテンツ消費者装置が、モバイルデバイスであり、
当該方法が、
前記コンテンツ消費者装置の位置情報利用モードを有効にする過程であって、当該位置情報利用モードは、前記コンテンツ消費者装置が位置情報付加されたコンテンツを受け取ることを可能にする、過程と、
前記コンテンツ消費者装置が、前記位置情報付加されたコンテンツに関連付けられている地理的位置に物理的に位置していることを特定する過程と、
前記地理的位置と関連付けられている前記位置情報付加されたコンテンツを、コンテンツ消費者装置へと、そのコンテンツ消費者装置が当該位置情報付加されたコンテンツに関連付けられている前記地理的位置に物理的に位置しているときにのみ、ダウンロードする過程と、
を含む、方法。
【請求項８】
請求項７に記載の方法において、前記地理的位置と関連付けられている前記位置情報付加されたコンテンツをコンテンツ消費者装置へとダウンロードする前記過程が、
前記地理的位置と関連付けられている前記位置情報付加されたコンテンツを、コンテンツ消費者装置へと、そのコンテンツ消費者装置が当該位置情報付加されたコンテンツに関連付けられている前記地理的位置に物理的に位置しているときに、自動的にダウンロードすること、
を含む、方法。
【請求項９】
請求項７に記載の方法において、さらに、
前記地理的位置と関連付けられている前記位置情報付加されたコンテンツをコンテンツ消費者装置へとダウンロードする前記過程の前に、当該位置情報付加されたコンテンツと関連付ける少なくとも１つのコンテンツタグを定義する過程、
を含み、かつ、前記地理的位置と関連付けられている前記位置情報付加されたコンテンツをコンテンツ消費者装置へとダウンロードする前記過程が、
前記地理的位置と関連付けられている前記位置情報付加されたコンテンツを、（ｉ）コンテンツ消費者装置が、当該位置情報付加されたコンテンツに関連付けられている前記地理的位置に物理的に位置し、かつ、（ｉｉ）当該位置情報付加されたコンテンツに関連付けられた少なくとも１つのコンテンツタグが、そのコンテンツ消費者装置の対応付けられた少なくとも１つのフィルタ設定を満たすときにのみ、前記コンテンツ消費者装置へとダウンロードすること、
を含む、方法。
【請求項１０】
請求項９に記載の方法において、前記少なくとも１つのコンテンツタグが、コンテンツ消費者タグを含み、当該コンテンツ消費者タグは、特定のコンテンツ消費者を定義する、方法。
【請求項１１】
請求項９に記載の方法において、前記少なくとも１つのコンテンツタグが、範囲タグを含み、当該範囲タグは、前記地理的位置に対応付けられた近傍を定義し、かつ、前記少なくとも１つのコンテンツタグは、前記コンテンツ消費者装置が前記地理的位置に対応付けられた前記近傍に物理的に位置しているときに、その前記コンテンツ消費者装置の前記フィルタ設定を満たす、方法。
【請求項１２】
請求項９に記載の方法において、前記少なくとも１つのコンテンツタグが、コンテンツ作成者タグを含み、当該コンテンツ作成者タグは、特定のコンテンツ作成者を定義する、方法。
【請求項１３】
請求項９に記載の方法において、前記少なくとも１つのコンテンツタグが、（ｉ）コンテンツ作成者タグであって、特定のコンテンツ作成者を定義する、コンテンツ作成者タグ、および（ｉｉ）範囲タグであって、前記地理的位置に対応付けられた近傍を定義し、かつ、前記少なくとも１つのコンテンツタグは、前記コンテンツ消費者装置が前記地理的位置に対応付けられた前記近傍に物理的に位置しているときに、その前記コンテンツ消費者装置の前記フィルタ設定を満たす、範囲タグを含む、方法。
【請求項１４】
請求項９に記載の方法において、前記少なくとも１つのコンテンツタグが、移動方向タグを含み、当該移動方向タグは、前記コンテンツ消費者装置の移動方向を定義する、方法。
【請求項１５】
請求項９に記載の方法において、前記少なくとも１つのコンテンツタグが、年齢タグ、性別タグおよび言語タグを含む、方法。
【請求項１６】
位置情報付加されたコンテンツを、コンテンツ作成者のコンテンツ作成者装置で作成およびアップロードして、コンテンツ消費者のコンテンツ消費者装置で受信およびダウンロードする方法であって、
前記コンテンツが、音声、画像、テキストおよび映像のうちの任意の１つまたは複数を含むものであり、
前記コンテンツ作成者装置および前記コンテンツ消費者装置のうちの少なくとも１つが、モバイルデバイスであり、
当該方法が、
前記コンテンツ作成者装置の位置情報利用モードを有効にする過程と、
前記位置情報利用モードを有効にする前記過程の後、第１の位置情報付加されたコンテンツを生成する過程であって、当該第１の位置情報付加されたコンテンツには、第１の地理的位置が関連付けられている、過程と、
前記第１の位置情報付加されたコンテンツの位置特定データを決定する過程であって、当該位置特定データは、前記第１の地理的位置の地理的座標を表す、過程と、
前記第１の位置情報付加されたコンテンツ、およびこれに付随する前記位置特定データを、バックエンドコンピュータにアップロードする過程であって、当該第１の位置情報付加されたコンテンツには、少なくとも１つのコンテンツ消費者装置が当該第１の位置情報付加されたコンテンツに関連付けられている前記第１の地理的位置に物理的に位置しているときに、その少なくとも１つのコンテンツ消費者装置のみがアクセス可能である、過程と、
前記コンテンツ消費者装置の位置情報利用モードを有効にする過程であって、当該位置情報利用モードは、前記コンテンツ消費者装置が位置情報付加されたコンテンツを受け取ることを可能にする、過程と、
前記コンテンツ消費者装置が、第２の位置情報付加されたコンテンツに関連付けられている第２の地理的位置に物理的に位置していることを特定する過程と、
前記第２の地理的位置と関連付けられている前記第２の位置情報付加されたコンテンツを、コンテンツ消費者装置へと、そのコンテンツ消費者装置が当該第２の位置情報付加されたコンテンツに関連付けられている前記第２の地理的位置に物理的に位置しているときにのみ、ダウンロードする過程と、
を含む、方法。
【発明の詳細な説明】
【関連出願】
【０００１】
本願は、2014年2月17日付出願の“Geo-locate System and Technique（位置情報付加システムおよび技術）”と称する米国仮特許出願第61/940,730号の優先権を主張する。この米国仮特許出願は、その全体を参照をもって本願に取り入れたものとする。
【発明の概要】
【０００２】
初めに、本明細書には数多くの発明が説明して図示されている。本発明の一態様は、音声および／または画像および／またはテキストおよび／または映像のコンテンツに位置情報付加するシステムおよび技術に関する。簡単に述べると、位置情報付加されたコンテンツ（geo-located content：位置に関する情報を含むコンテンツ，位置特定コンテンツ）は、少なくとも１人のコンテンツ消費者（すなわち、コンテンツ消費者装置（コンテンツ消費者の装置））が所与の地理的位置、および／または、この地理的位置の所与の近傍（当該近傍は、コンテンツ消費者がアクセスできるように、コンテンツのアップロードの前または後に、固定され、かつ／あるいは予め定義され、かつ／あるいはプログラム可能とされてもよい）内に物理的に位置しているときに、当該少なくとも１人のコンテンツ消費者によってアクセスされるコンテンツ（音声および／または画像および／またはテキストおよび／または映像）として、一般的に特徴付けられる。具体的に述べると、位置情報付加されたコンテンツは、コンテンツ作成者により用意および／または生成および／または編集されるものであって、その後、少なくとも１人のコンテンツ消費者（すなわち、コンテンツ消費者装置）が所与の地理的位置、および／または、この地理的位置の所与の近傍内に物理的に位置しているときに、当該コンテンツ消費者がアクセスできるように、バックエンドコンピュータシステムにアップロードされるか又は配信されるものである。
【０００３】
つまり、本発明の一態様は、位置情報付加のコンテンツの作成者（geo-locate content creator）が提供する（make available）音声および／または画像および／またはテキストおよび／または映像を、その位置情報付加コンテンツ作成者が、当該位置情報付加コンテンツ作成者の位置に対する特定の地理的位置におよび／またはこの地理的位置の所定の範囲（当該範囲は、固定されるか又はプログラム可能とされてもよい）内にコンテンツ消費者が存在するときに当該コンテンツ消費者のみがアクセス可能となるようにすることを可能にする。
【０００４】
具体例として、本発明にかかるこのシステムおよび技術は、特に、広告用のシステム、観光名所の情報用のシステム、位置ベースの緊急メッセージ送信用のシステム、製品又はサービス情報用のシステム、場所案内用のシステム等に、使用および／または利用されてもよい。
【０００５】
本発明は、添付の図面に示された実施形態によって実現され得る。添付の図面には、本発明の様々な態様が示されている。異なる図面をとおして同様の符号が、構造および／または部品および／または材料および／または構成要素等に適宜付されている場合がある。構造および／または部品および／または構成要素の組合せとして、具体的に図示されている以外の組合せも考えられ、かつ、そのような組合せも本発明の範疇に含まれる。
【０００６】
また、本明細書には数多くの発明が説明および図示されている。本発明はいずれかの単一の態様や実施形態に限定されるものでもなければ、そのような態様および／または実施形態の任意の組合せおよび／または任意の置換に限定されるものでもない。また、本発明の態様および／または実施形態のそれぞれは、単独で用いられてもよいし、本発明のその他の１つ以上の態様および／または実施形態と組み合わせて用いられることも可能である。簡略化のために、一部の置換や組合せについては、本明細書において個別に説明および／または図示しない。なお、本明細書において「例示（または例示的）」であると記載している実施形態や適用例は、例えば他の実施形態や適用例等よりも好適とも有利とも解釈されるべきではなく、むしろ、それらがあくまでも「一例」に過ぎないことを反映するか又は表すことを意図している。
【図面の簡単な説明】
【０００７】
【図１Ａ】コンテンツ消費者、少なくとも１人のコンテンツ作成者およびバックエンドコンピュータを含む、本発明の態様の例示的な実施形態を、本発明の特定の態様や実施形態に従って示したブロック図である。
【図１Ｂ】コンテンツ消費者、少なくとも１人のコンテンツ作成者およびバックエンドコンピュータを含む、本発明の態様の例示的な実施形態を、本発明の特定の態様や実施形態に従って示したブロック図である。
【図１Ｃ】コンテンツ消費者、少なくとも１人のコンテンツ作成者およびバックエンドコンピュータを含む、本発明の態様の例示的な実施形態を、本発明の特定の態様や実施形態に従って示したブロック図である。
【図１Ｄ】コンテンツ消費者、少なくとも１人のコンテンツ作成者およびバックエンドコンピュータを含む、本発明の態様の例示的な実施形態を、本発明の特定の態様や実施形態に従って示したブロック図である。
【図１Ｅ】コンテンツ消費者、少なくとも１人のコンテンツ作成者およびバックエンドコンピュータを含む、本発明の態様の例示的な実施形態を、本発明の特定の態様や実施形態に従って示したブロック図である。
【図１Ｆ】コンテンツ消費者、少なくとも１人のコンテンツ作成者およびバックエンドコンピュータを含む、本発明の態様の例示的な実施形態を、本発明の特定の態様や実施形態に従って示したブロック図である。
【図１Ｇ】コンテンツ消費者、少なくとも１人のコンテンツ作成者およびバックエンドコンピュータを含む、本発明の態様の例示的な実施形態を、本発明の特定の態様や実施形態に従って示したブロック図である。
【図２】本発明の特定の態様に係るシステム動作の例示的なプロセスを示したフローチャートである。
【発明を実施するための形態】
【０００８】
再び述べるが、本明細書には数多くの発明が説明および図示されている。本発明はいずれかの単一の態様や実施形態に限定されるものでもなければ、そのような態様および／または実施形態の任意の組合せおよび／または任意の置換に限定されるものでもない。また、本発明の態様および／または実施形態のそれぞれは、単独で用いられてもよいし、本発明のその他の１つ以上の態様および／または実施形態と組み合わせて用いられることも可能である。簡略化のために、組合せや置換の多くを、本明細書において個別に説明しない。
【０００９】
本発明は、音声および／または画像および／またはテキストおよび／または映像のコンテンツに位置情報を付加する（geo-locate）システムおよび技術に関する。以下の詳細な説明では、コンテンツ作成者、すなわちコンテンツ作成者装置（コンテンツ作成者の装置）、コンテンツ消費者、すなわちコンテンツ消費者装置（コンテンツ消費者の装置）、およびバックエンドコンピュータについて言及する。
【００１０】
コンテンツ作成者、すなわちコンテンツ作成者装置は、携帯電話、タブレット、コンピュータ等のモバイルデバイス（携帯機器）もしくはモバイルインターフェース（当該モバイルデバイス又はモバイルインターフェースは、自動車、ボート、飛行機等の移動プラットフォーム（人間等を乗せて移動する台車）の一部、あるいは、そのような移動プラットフォームに組み込まれた／埋め込まれたものとされる場合がある）、またはウェアラブル技術を含むその他の個人用電子機器（consumer electronics device）によって特徴付けられるか、あるいは、そのようなモバイルデバイスもしくはモバイルインターフェースまたはその他の個人用電子機器を表す。
【００１１】
コンテンツ消費者、すなわちコンテンツ消費者装置は、携帯電話、タブレット、コンピュータ等のモバイルインターフェース（当該モバイルインターフェースは、自動車、ボート、飛行機等の移動プラットフォームの一部、あるいは、そのような移動プラットフォームに組み込まれた／埋め込まれたものとされる場合がある）、またはウェアラブル技術を含むその他の個人用電子機器によって特徴付けられるか、あるいは、そのようなモバイルインターフェースまたはその他の個人用電子機器を表す。
【００１２】
バックエンドコンピュータは、コンテンツ作成者装置およびコンテンツ消費者装置と（例えば、直接）通信するコンピュータサーバ環境で構成された、少なくとも１つの適切にプログラムされたコンピュータおよびそのハードウェア／ソフトウェアとして特徴付けられる。バックエンドコンピュータシステムは、（コンテンツ作成者からの、すなわちコンテンツ作成者装置からの）コンテンツのアップロード、およびコンテンツ作成者の所与の位置を受け取るように構成されているか又はそれらを受け取ることが可能なものとされる。バックエンドコンピュータシステムは、また、コンテンツを、コンテンツ消費者すなわちコンテンツ消費者装置に、例えば、消費者すなわち消費者装置のフィルタ設定および消費者すなわち消費者装置の地理的位置に従って又はそれらに適合して、配信又は供給するように構成されているか又はそうすることが可能なものとされる。
【００１３】
例示的な一実施形態において、少なくとも１人のコンテンツ作成者は、モバイルデバイスおよびそのモバイルインターフェースでコンテンツを生成および／または作成および／または編集する。（例えば図１Ａでは、コンテンツ作成者が、第１の地理的位置に対応する位置情報付加されたコンテンツを生成する。）一実施形態において、これは、コンテンツ作成者が、コンテンツ作成者装置のユーザインターフェースを介して行う（例えば、コンテンツ作成者が運転中である場合や、１つ又は複数の手／指でユーザインターフェースを操作できない（もしくは、そうすることが安全でない）場合等には、ハンズフリーもしくはキーワードスポッティングで、又はコンテンツ作成者のための音声コントロール等を介して行う）。生成および／または作成および／または制作および／または編集されたコンテンツは：
１．  音声；
２．  映像；
３．  テキスト；
４．  画像；
等を含む。
【００１４】
例示的な一実施形態において、コンテンツ作成者は、位置情報を付加したい（位置情報を特定したい）コンテンツを記述するクリップタイトルを、（例えば、音声インターフェース、物理的／仮想的キーボードインターフェース等を介して）インターフェースに入力する。例えば、一実施形態において、コンテンツ作成者は、少なくとも１つの画像又は任意長の映像を添付することに加えて「テキスト」を入力する。テキストの大きさは、予め定義された長さ、固定の長さ、可変の長さ、またはプログラム可能な長さである。また、コンテンツの時間長は、固定、可変、またはプログラム可能である。
【００１５】
共有オプションについて述べると、コンテンツ作成者は、例えば位置情報付加アイコン等を介して位置情報利用モード（geo-locate mode：位置情報付加モード）／動作を実行し得る。具体的に述べると、位置情報利用モード／動作における共有オプションは、コンテンツの消費を、地理的位置または地理的位置の近傍に位置するコンテンツ消費者に制限する。すなわち、コンテンツは、コンテンツ作成者の地理的位置および／または当該地理的位置の近傍（当該近傍は、プログラム可能又は固定であってもよい）、あるいは、配信元により定義された地理的位置および／または当該地理的位置の近傍（当該近傍は、プログラム可能又は固定であってもよい）に存在するコンテンツ消費者によってのみ消費され、かつ／あるいはそのような消費者のみが利用可能である。（例えば図１Ｂでは、第１のコンテンツ消費者と第３のコンテンツ消費者とが、第１の地理的位置の位置情報付加されたコンテンツにアクセスし得る。）コンテンツは、コンテンツ消費者（すなわち、コンテンツ消費者装置）が所与の地理的位置に対応付けられた当該地理的位置の近傍に入り、かつ／あるいはその近傍内に位置すると、そのコンテンツ消費者にとってアクセス可能なものとなる。具体例として、近傍の「広がり」は、コンテンツ消費者がアクセスできるようにコンテンツをコンテンツ作成者が作成／アップロードする前、作成／アップロードしているあいだ、または作成／アップロードした後に、固定される、かつ／あるいは予め定義され得る、かつ／あるいはプログラム可能／可変とされてもよい。
【００１６】
一実施形態では、フィルタまたはコンテンツタグが、コンテンツに関連付けられる。この点に関して具体的に述べると、コンテンツ作成者（またはバックエンドコンピュータシステム）が、フィルタまたはコンテンツタグに従ってコンテンツを「分類する」。よって、この場合の動作時においてコンテンツ消費者がコンテンツにアクセス可能となるには、そのコンテンツ消費者が、地理的条件（例えば、地理的位置の近傍に位置する等）を満足するだけでなく、フィルタ設定またはコンテンツタグ設定も満たす（又は合致する）必要がある。すなわち、動作時において特定のコンテンツ消費者が地理的位置に入り、かつ／あるいは当該地理的位置に位置するとき、またはその地理的位置の近傍（もしくは領域）内に入り、かつ／あるいは当該近傍（もしくは領域）内に位置するとき（これら地理的位置、近傍、領域等の条件は、コンテンツ作成者により定義されてもよい）、そのコンテンツ消費者はあるコンテンツ（当該あるコンテンツは、コンテンツ作成者固有のコンテンツであってもよい）を、コンテンツ消費者装置がコンテンツ作成者からのコンテンツのフィルタまたはコンテンツタグを満たす（又は合致する）ことを条件として又はそのようなことを前提として受け取るか、あるいは、その所与のコンテンツへのアクセスを有する。
【００１７】
具体例として、コンテンツ作成者は、特定のコンテンツ消費者にコンテンツを規制（又は「制限」）するフィルタまたはコンテンツタグを、フロントエンドで（コンテンツ作成者装置で）有効とするか又は操作する。これに加えて、あるいは、これに代えて、コンテンツフィルタまたはコンテンツタグは、バックエンドコンピュータシステムで実現され得る。いずれにせよ、送信／コンテンツフィルタまたはコンテンツタグは、下記の特徴またはカテゴリーに従ってプログラムされ、かつ／あるいは設定される：
１．  年齢；
２．  性別；
３．  国；
４．  音声パターン；
５．  言語；
６．  時刻；
７．  デバイス；
８．  配信の長さ；
９．  キーワード；
１０．  位置；
１１．  移動方向；
１２．  移動速度；
１３．  名前−（位置情報が付加されたプライベートメッセージ）；
１４．  交友関係（友達）；
１５．  電話番号；
１６．  有料コンテンツ；
１７．  温度；
１８．  高度（高さ）（例えば、建物内での高度であって、特定のフロア間のどこにコンテンツが位置するのかを決定するための高度等）；
１９．  暦および／または期間および／または時間長さ（指定された日付／時刻にコンテンツが利用可能であり、所与の時刻後および／または所与の期間後および／または所与の日付／時刻後に利用可能状態が終了するか又は満了する）；
２０．  範囲（メートル単位またはヤード単位）（例えば、後述するようなもの）；等。
【００１８】
地理的位置、および地理的位置に対応付けられた近傍は、コンテンツ作成者、すなわちコンテンツ作成者装置の物理的な場所又は実際の場所によって決定され、かつ／あるいは、コンテンツ作成者により定義された位置／距離（領域サイズ）によって決定される。（図１Ａを参照。）一実施形態において、地理的位置は、例えばコンテンツ作成時等に、位置情報タグとしてコンテンツ作成者装置によって決定されて付与される。他の実施形態では、バックエンドコンピュータシステムが、例えばＧＰＳデータ等により、コンテンツ作成者装置の位置を決定する。コンテンツ作成者すなわちコンテンツ作成者装置の地理的位置を特定および／または決定するにあたっては、既知又は今後登場する、どのような技術および／または回路および／またはシステムが用いられてもよい。
【００１９】
近傍（すなわち、地理的位置に対応付けられた近傍の「広がり」）は、プログラム可能又は固定で、かつ、既知又は今後登場する、どのような地理的形状（例えば、正方形状、長方形状、台形状、円状、楕円状等）を取るものであってもよい。（例えば図１Ａ〜図１Ｄの、地理的位置に対応付けられた近傍の形状を比較されたい。）地理的位置およびこの地理的位置に対応付けられた近傍は、地理的位置の別の近傍内に存在するものであってもよい。（図１Ｅでは、第２の地理的位置が第４の地理的位置内に存在する。）実際のところ、一実施形態では、近傍が、コンテンツまたはコンテンツの焦点によって少なくとも部分的に確立されるか又は定義される。例えば、コンテンツまたはコンテンツの焦点がある道路上又は当該道路間近の構造物又は事象である場合、近傍は、その構造物又は事象の周囲の所与の距離（例えば、その構造物又は事象の周囲１マイルの距離等）に、その構造物もしくは事象が位置している道路又はその構造物もしくは事象の間近にある道路に沿った何マイルかを追加したものとされてもよい。
【００２０】
具体例として、配信の地理的位置（および／またはこの地理的位置の近傍）は、コンテンツ作成者によるコンテンツの作成中、作成直後、作成後所定の時間を経てから、または作成後調整可能な時間を経てから、定義されてもよい。（例えば図１Ｆでは、第１のコンテンツ作成者がコンテンツのアップロード途中の時点で第１の地理的位置の近傍（破線で表すように）に位置していない（他方で、第２のコンテンツ作成者は、コンテンツのアップロード完了後も第４の地理的位置に実線で表すように位置している）。）このように、コンテンツ作成者は、コンテンツのアップロード完了後又はアップロード途中に特定の地理的位置に又は当該特定の地理的位置間近に位置する場合もあれば、コンテンツのアップロード完了後又はアップロード途中に当該特定の地理的位置の近傍に位置するか、当該近傍を出るか、あるいは当該近傍外に位置する場合もある（例えば、コンテンツ作成者がコンテンツを作成した後、その地理的位置に対して所定の距離又は調整可能な距離経てから、かつ／あるいはコンテンツ作成者がコンテンツを作成した後、所定の時間又は調整可能な時間を経てから、そのコンテンツがアップロードされる場合等である）。（例えば図１Ｆでは、第１の地理的位置に関わるコンテンツのアップロードが完了する前に第１のコンテンツ作成者は近傍外に（破線で表すように）位置し、アップロードの完了後、そのコンテンツがコンテンツ消費者（例えば、第５のコンテンツ消費者等）に利用可能となる。）実際のところ、地理的位置の近傍は、初めに定義された後に再定義されてもよい。（例えば図１Ｇでは、図示のとおり第２の地理的位置の近傍および第４の地理的位置の近傍が再定義されており、これによって所与のコンテンツへアクセスできる消費者が変わる。）
【００２１】
一部の実施形態では、地理的位置が近傍を有さない（近傍がゼロである）。この場合には、所与のコンテンツ作成者のコンテンツをコンテンツ消費者が利用可能となるには、当該コンテンツ消費者がその地理的位置の上又はその位置に位置する必要がある（任意の所与の時間のあいだであっても、なくても）。（図１Ｆの、第６のコンテンツ消費者と第５の地理的位置とを参照されたい。）
【００２２】
コンテンツがバックエンドコンピュータシステムにアップロードされると（一部の実施形態では、さらに、そのコンテンツがバックエンドコンピュータシステムにより許容可能とされると）、自動的に、あるいは、少なくとも１人のコンテンツ作成者又は少なくとも１つのコンピュータ操作者の入力に応答して、コンテンツが（コンテンツ消費者へと）配信可能となる。例えば、一実施形態では、コンテンツ作成者が特定のコンテンツをバックエンドコンピュータシステムにアップロードし、そのコンテンツがコンテンツ消費者へと即座に配信可能となる。コンテンツは、コンテンツ作成者による、（コンテンツ作成者装置の）タッチスクリーンでの入力を介してアップロードされてもよい（例えば、スクリーン下方の左側をタップして指を右にスライドさせることによってコンテンツを配信すること等が挙げられる）。他の実施形態では、コンテンツ作成者が音声コマンドを介して、少なくとも１人のコンテンツ消費者へと配信できるようにコンテンツをバックエンドコンピュータシステムにアップロードする。
【００２３】
コンテンツ作成者によるバックエンドコンピュータシステムへのアップロード動作は、下記のうちの少なくとも１つを含み得る：
１．  アップロード動作（コンテンツ作成者すなわちコンテンツ作成者装置による配信）を、音声コントロール（例えば、コンテンツ作成者等の音声コントロール）を介して制御すること；
２．  アップロード動作（コンテンツ作成者すなわちコンテンツ作成者装置による配信）を、ある時刻（相対時刻または絶対時刻）で発生するように設定すること；
３．  アップロード動作（コンテンツ作成者すなわちコンテンツ作成者装置による配信）を、コンテンツ作成者がある地理的位置に入るか又は出ると発生させること；および
４．  アップロード動作（コンテンツ作成者、すなわちコンテンツ作成者装置による配信）を、コンテンツ作成者が料金を支払ってから発生させること。
【００２４】
コンテンツ作成者がコンテンツ作成者装置にアップロード又は配信を実行するように命令すると、当該コンテンツ作成者装置はデータベース記録を生成する。一実施形態では、そのようなデータベース記録は、地理的位置に加えて、（バックエンドコンピュータシステム（例えば、ＶｏｉｃｅＢｙｔｅのサーバ等）に）アップロードされる。そのようなデータベース記録は、下記の種類のデータを少なくとも１つ含み得る：
１．  コンテンツ；
２．  クリップタイトル情報（コンテンツのタイトルであって、リンクやハッシュタグやツイッター（登録商標）名を含み得る）；
３．  画像（添付されているのであれば）；
４．  コンテンツ作成者すなわちコンテンツ作成者装置の位置情報座標（例えば、位置情報タグ等）；
５．  配信が作成された時刻及び日付；
６．  コンテンツ作成者が向いていた方向；
７．  コンテンツ作成者の移動方向；
８．  コンテンツ作成者の速度／加速度；および／または
９．  音声データ、具体的には、コンテンツ作成者の喜び、悲しみ又は怒りの音声パターン（自然言語処理）（これは、サーバ側で（すなわち、バックエンドコンピュータシステムで）処理されてもよい）。
【００２５】
一実施形態において、コンテンツは、コンテンツ消費者すなわちコンテンツ消費者装置により、例えばモバイルインターフェース（ＶｏｉｃｅＢｙｔｅのアプリ）等を介して、そのコンテンツ消費者装置が地理的位置に位置し、かつ／あるいはそのコンテンツ消費者装置が当該地理的位置の近傍に又は近傍内に位置するときにアクセスされる。（図１Ｅでは、第６のコンテンツ消費者と第８のコンテンツ消費者とが第１の地理的位置と関連付けられたコンテンツにアクセス可能であり、第３のコンテンツ消費者が第２の地理的位置と関連付けられたコンテンツにアクセス可能であり、第４のコンテンツ消費者が第３の地理的位置と関連付けられたコンテンツにアクセス可能であり、さらには、第１のコンテンツ消費者、第２のコンテンツ消費者、第３のコンテンツ消費者および第７のコンテンツ消費者が第４の地理的位置と関連付けられたコンテンツにアクセス可能である。）一実施形態において、コンテンツ消費者の地理的位置は、コンテンツ消費者装置によって決定されて付与される。他の実施形態では、バックエンドコンピュータシステムが、例えばＧＰＳデータ等により、コンテンツ消費者装置の位置を決定する。コンテンツ消費者すなわちコンテンツ消費者装置の地理的位置を特定および／または決定するにあたっては、既知又は今後登場する、どのような技術および／または回路および／またはシステムが用いられてもよい。
【００２６】
コンテンツ消費者は、関連付けられたコンテンツに、所与の地理的位置内において又は当該所与の地理的位置の近傍内において、この地理的位置から外れるまで、かつ／あるいはこの地理的位置のその近傍を出るまでアクセス可能とされる。（例えば図１Ｆの、第８のコンテンツ消費者と第３の地理的位置とを参照されたい。）コンテンツ消費者は、前記地理的位置および／または前記地理的位置の近傍に入ると即座に、プッシュ通知によって又はバックエンドコンピュータシステムからコンテンツをプルすることによってコンテンツにアクセス可能となる（例えば図１Ｇの、第５のコンテンツ消費者を参照されたい。また、同図において第８のコンテンツ消費者は、第３の地理的位置の近傍に入るとこの第３の地理的位置と関連付けられた配信にアクセス可能となる）か、あるいは、配信できるようにそのコンテンツがコンテンツ作成者によってアップロードされてからアクセス可能となり得る（例えば図１Ｆの第５のコンテンツ消費者は、第１のコンテンツ作成者からのコンテンツがアップロードされるまでは、（破線で表すように）このコンテンツが利用可能ではない）。
【００２７】
一実施形態において、コンテンツ消費者は、ユーザインターフェースでの配信タブにおける固定又はプログラム可能なフィルタを用いながら、位置情報付加されたコンテンツにアクセス（例えば、ダウンロード等）する（タッチスクリーンインターフェースで左にスワイプする）。例えば、コンテンツ消費者のフィルタがアクティブであり且つコンテンツがフィルタ又はコンテンツタグを含む場合、コンテンツ消費者装置上のアプリがＡＰＩ（アプリケーションプログラミングインターフェース）を実行するか又は呼び出して、当該ＡＰＩがフィルタ設定と合致する（又は満たす）関連のある作成者生成コンテンツを取り出す（該当する場合には、当該関連のある作成者生成コンテンツをアプリのインターフェースに表示する）。
【００２８】
コンテンツ消費者がコンテンツにアクセスする手法としては、様々な手法が挙げられ得るが、そのような手法は、例えば：
１．  コンテンツを、例えばコンテンツ消費有が所与の地理的位置に位置し、かつ／あるいはコンテンツ消費者が所与の地理的位置の近傍に位置するとき等に、自動的にダウンロードすること；および／または
２．  コンテンツを、コンテンツ消費者がそのような近傍に位置し且つコンテンツがフィルタリング条件を満たす（又は合致する）ときに、ダウンロードすること；および／または
３．  コンテンツへのアクセスを、配信元で制御すること；および／または
４．  コンテンツへのアクセスを、地理的位置における特定の対象領地点にで制御すること（例えば、コンテンツ消費者が、地理的位置における特定の対象地点に対して一定の方向へと運転している）；および／または
５．  コンテンツへのアクセスを、コンテンツ消費者がコンテンツを購入したいか否かで制御すること；および／または
６．  コンテンツ消費者に、（例えば、バックエンドコンピュータシステム等からの）プッシュ通知等により、そのコンテンツ消費者の地理的位置の近傍に、当該近傍間近に、もしくは当該近傍内に「消費」可能なもしくはダウンロード可能なコンテンツが存在することを知らせること（その後、当該コンテンツ消費者がこのコンテンツを取り出してもよい）；等
を含む。
【００２９】
コンテンツ消費者装置のフィルタ（またはコンテンツ消費者装置におけるフィルタ）は、下記に従ってプログラムおよび／または設定されて、かつ、これに応じて、下記のとおりに一定のコンテンツを取り出すか又はアクセスしてもよい（一実施形態では、その後、当該コンテンツを表示する）：
１．  年齢；
２．  性別；
３．  国；
４．  音声パターン；
５．  言語；
６．  時刻；
７．  デバイス；
８．  配信の長さ；
９．  キーワード；
１０．  位置；
１１．  移動方向；
１２．  速度；
１３．  名前；
１４．  交友関係（友達）；
１５．  電話番号；
１６．  有料コンテンツ；
１７．  温度；
１８．  高度（例えば、建物内での高度であって、特定のフロア間のどこにコンテンツが位置するのかを決定するための高度等）；
１９．  少なくとも１人の特定のコンテンツ作成者；
２０．  暦および／または期間および／または時間長さ（指定された日付／時刻にコンテンツが利用可能であり、所与の時刻後および／または所与の期間後および／または所与の日付／時刻後に利用可能状態が終了するか又は満了する）；
２１．  範囲（メートル単位またはヤード単位）（例えば、後述するようなもの）；等。
【００３０】
具体例として、コンテンツは、加入（継続購入）または購入に従って利用可能とされてもよく、例えば、料金を支払っている消費者のみが利用可能とされる。例えば、コンテンツ消費者は、あるコンテンツ作成者によって位置情報付加されたコンテンツに加入（コンテンツを継続購入）してもよい。
【００３１】
購入によりアクセス可能となるコンテンツの種類の例として、下記のものが挙げられる：
１．  有名人コンテンツ；
２．  店舗での割引；
３．  場所案内；
４．  口コミ；
５．  観光名所の情報；
６．  セール；
７．  スポーツ情報；
８．  不動産情報；等。
【００３２】
図２に、本発明の例示的な一実施形態についての、例示的なフローチャートのような図を示す。このフローチャートのような図は、あくまでも例示に過ぎない。本発明は、これ以外のプロセスフローに従って実現することも可能である。
【００３３】
適用例や用途としては、下記のものを含み得る：
【００３４】
広告目的（この用途は、小売業者が少なくとも１つの店舗の所定の位置（例えば、地理的位置の近傍等）内に位置するする消費者をターゲットとすることを可能にする）；
【００３５】
観光名所の情報（この用途は、コンテンツ消費者が当該コンテンツ消費者向けの作成者生成コンテンツにアクセスして近くのエリアや関係するエリア（例えば、地理的位置または当該地理的位置の近傍に関係するエリア）等に存在する名所等についてのコンテンツを受け取ることを可能にする）；
【００３６】
位置ベースの緊急メッセージ送信（この用途は、特定の位置内のコンテンツ消費者が自身の位置や関係する位置（例えば、地理的位置または当該地理的位置の近傍に関係する位置）等に関わる警告通知／メッセージにアクセスすることを可能にする）；
【００３７】
製品又はサービス情報（この用途は、例えば消費者が買い物をする際の選択肢を広げるような、消費者のためのコンテンツ源となる）；
【００３８】
場所案内（コンテンツ作成者が生成したコンテンツに、位置情報の付加が可能なため、コンテンツ消費者が自己の周辺をより良く理解できるように支援する簡単なメッセージが容易となる。例えば、コンテンツ作成者が生成した位置情報付加された音声メッセージにアクセスすることで、コンテンツ消費者が特定の飲食店（例えば、お気に入りのカフェ等）を見つけるのに役立つ）；等。
【００３９】
本明細書では、数多くの発明を説明・図示している。本発明のうち、説明・図示している実施形態、特徴、特性および利点は一部に過ぎないが、これらの説明・図示から、その他の数多くの異なるかつ／あるいは同様の、実施形態、特徴、特性および利点についても明らかである。つまり、本明細書で説明・図示している実施形態、特徴、特性および利点のみが本発明の実施形態、特徴、特性および利点なのではなく、むしろ、本発明のその他の同様の実施形態、特徴、特性および利点、さらには、その他の異なる実施形態、特徴、特性および利点も本発明の範疇に含まれるのであると理解されたい。
【００４０】
事実、本発明はいずれかの単一の態様や実施形態に限定されるものでもなければ、そのような態様および／または実施形態の任意の組合せおよび／または任意の置換に限定されるものでもない。また、本発明の態様および／または実施形態のそれぞれは、単独で用いられてもよいし、本発明のその他の１つ以上の態様および／または実施形態と組み合わせて用いられることも可能である。簡略化のために、組合せや置換の多くを、本明細書において個別に説明しない。
【００４１】
これまでの教示内容から、数多くの変更および／または変形および／または組合せおよび／または置換が可能である。つまり、本発明の例示的な実施形態についてのこれまでの説明は、あくまでも図示・説明目的のものに過ぎない。本発明の範囲も、これまでの説明のみに限定されない。
【００４２】
そのほかにも、本明細書において「一実施形態」と記載している箇所については、その実施形態との関連で説明している特徴や構造や特性が、本発明のその他の実施形態のうちの一つ、一部又は全部にも含まれ得る、かつ／あるいは用いられ得る、かつ／あるいは組み込まれ得ることを意味すると理解されたい。また、本明細書において「一実施形態」や「他の実施形態」との文言が何度も使用されているか又は出現している場合には、「一実施形態」または「他の実施形態」との文言が常に同じ実施形態を指しているのもなければ、それぞれが１つ以上の実施形態を必然的に排除する互いに別個の実施形態や代替的な実施形態なのでもなければ、かといって単一の排他的な実施形態に限定されることを意図しているのでもない。同じことが「適用例」との文言にも当てはまる。本発明はいずれかの単一の態様や実施形態に限定されるものでもなければ、そのような態様および／または実施形態の任意の組合せおよび／または任意の置換に限定されるものでもない。また、本発明の態様および／または実施形態のそれぞれは、単独で用いられてもよいし、本発明のその他の１つ以上の態様および／または実施形態と組み合わせて用いられることも可能である。簡略化のために、一部の置換や組合せについては、本明細書において個別に説明および／または図示しない。
【００４３】
さらに、本明細書において例示であると記載している実施形態や適用例は、例えば他の実施形態や適用例等よりも好適とも有利とも解釈されるべきではなく、むしろ、それらがあくまでも一例に過ぎないことを伝える又は表すことを意図している。
【００４４】
特許請求の範囲において「決定する」、「決める」、「求める」および「算出する」との記載、ならびに当該記載のその他の形態（すなわち、「決定している」、「決めている」、「求めている」、「決定された」、「決められた」、「求められた」、「算出している」、「算出された」等）は、特に、算出および／または評価および／または決定および／または推定、あるいは、これらの文言のその他の形態を意味するものと理解されたい。そのほかにも、「決定する」、「決める」および「求める」との記載、ならびに当該記載のその他の形態（すなわち、「決定している」、「決めている」、「求めている」、「決定された」、「決められた」、「求められた」等）は、特に、算出および／または評価および／または決定および／または推定、あるいは、これらの文言のその他の形態を意味するものと理解されたい。
【００４５】
さらに言えば、本明細書において「第１の」、「第２の」等の記載は、いかなる順序や数量や重要性を表すものではなく、むしろ、ある構成／構成要素をそれとは別の構成／構成要素と区別するために用いられていることに留意されたい。また、本明細書において不定冠詞は、数量を限定するものではなく、むしろ、対象のものが１つ以上存在することを表していると理解されたい。さらに、「データ」との記載は、特に、アナログ形態又はデジタル形態（単一ビットのようなものの場合もあれば、複数ビットのようなものの場合もあり得る）の、少なくとも１つの電流信号又は電圧信号を意味していると理解されたい。
【００４６】
特許請求の範囲において「備える」、「含む」および「有する」との記載、ならびに当該記載のその他のいかなるバリエーションも、排他的でない包含を意図する記載である。つまり、明記された構成／構成要素を「備える」プロセスや方法や物品や装置は、そのような構成／構成要素だけでなく、明記されていない他の構成／構成要素や、そのプロセスや方法や物品や装置に当然存在すると考えられる構成／構成要素を含む場合も包含するものと理解されたい。
【図１Ａ】
2017505972.tif 000003
【図１Ｂ】
2017505972.tif 000004
【図１Ｃ】
2017505972.tif 000005
【図１Ｄ】
2017505972.tif 000006
【図１Ｅ】
2017505972.tif 000007
【図１Ｆ】
2017505972.tif 000008
【図１Ｇ】
2017505972.tif 000009
【図２】
2017505972.tif 000010
【国際調査報告】
2017505972.tif 000011
2017505972.tif 000012